(57)【要約】【課題】本発明は、従来の衣類乾燥機の乾燥効果不良、乾燥速度の遅さ、乾燥機内の温度と湿度のリアルタイム制御不能、ならびにかかる安全上の問題を克服する棚型衣類乾燥機を提供することを目的とする。【解決手段】本発明は棚型衣類乾燥機に関する。本棚型衣類乾燥機は台座、フレーム、布カバーおよびコントロールユニットからなり、内部は熱源装置、熱風の緩和スペース、および衣類乾燥スペースで構成される。熱源装置は風力タービンおよびＰＴＣ発熱体からなり、熱源装置と風洞は台座内部に設置されている。台座上部に位置するフレームは、台座に物干し器の支柱を差し込むことで支持している。物干し器の支柱は、熱風の緩和スペース仕切り板および頂上部の網板と連結しており、熱風の緩和スペース仕切り板の下面と風洞の安全保護板は熱風の緩和スペースを形成し、熱風の緩和スペース仕切り板の上面と頂上部の網板は衣類乾燥スペースを形成している。衣類乾燥スペースの頂上部には物干し棒を備えている。防通気性および耐高温性の布で作られた布カバーは、フレームの外側にかぶせ、その頂上部には排気口を設けている。コントロールユニットは、コントロールパネルおよびコントロールパネルスイッチで構成される。本発明の効果は、衣類の乾燥における高効率および高速化、衣類落下時の安全を保障しており、また、安全に使用でき、衣類の乾燥過程が制御できることである。
2010507395.tif 000002
【特許請求の範囲】
【請求項１】
台座、フレーム、布カバー、ならびにコントロールユニットからなり、内部が熱風と気圧を生成する熱源装置、高温熱風と冷気が混ざり合う熱風の緩和スペースならびに衣類を掛けて乾燥させる衣類乾燥スペースで構成されることを特徴とする棚型衣類乾燥機。
【請求項２】
前記熱源装置は風力タービンおよびＰＴＣ発熱体からなり、前記熱源装置および風洞は前記台座内に設置されており、台座上部に位置する前記フレームは、台座に物干し器の支柱を差し込むことで支持し、また、物干し器の支柱は熱風の緩和スペース仕切り板および頂上部の網板と連結し、熱風の緩和スペース仕切り板の下面と風洞の安全保護板は熱風の緩和スペースを形成し、熱風の緩和スペース仕切り板の上面と頂上部の網板は衣類乾燥スペースを形成しており、前記衣類乾燥スペースの頂上部には物干し棒を備えており、防通気性および耐高温性の布で作られた前記布カバーは、フレームの外側にかぶせ、その頂上部には排気口が設けられており、前記コントロールユニットはコントロールパネルおよびコントロールパネルスイッチで構成されることを特徴とする請求項１に記載の棚型衣類乾燥機。
【請求項３】
前記コントロールユニットはさらにホストコントローラ、ホストコントローラと電気的に接続した湿度検出器および温度検出器で構成され、前記温度検出器を衣類乾燥スペース内の熱風の緩和スペース仕切り板上、熱風の緩和スペース内、または風洞の安全保護板上に設け、前記湿度検出器を前記熱風の緩和スペース内または前記衣類乾燥スペース内に設けることを特徴とする請求項１または請求項２に記載の棚型衣類乾燥機。
【請求項４】
前記熱源装置の吸気口に吸気口の防塵用ネットを備えることを特徴とする請求項１または請求項２に記載の棚型衣類乾燥機。
【請求項５】
前記風洞がＰＴＣ発熱体と連結する部分の断面積はＰＴＣの吹き出し口の断面積の１．１倍より大きいことを特徴とする請求項１または請求項２に記載の棚型衣類乾燥機。
【請求項６】
前記熱源装置の熱風の吹き出し方向は風洞の底辺部であり、前記風洞の底辺部は弓形の傾斜に設計されていることを特徴とする請求項１または請求項２に記載の棚型衣類乾燥機。
【請求項７】
前記フレーム後部に物干し器の支柱および中心部分を固定したＸ型防傾連結棒のジョイントを設けることを特徴とする請求項１または請求項２に記載の棚型衣類乾燥機。
【請求項８】
前記台座の外側に沿って布カバーを固定する留め具、および台座上の周辺部に沿って水の外漏れ防止壁を設けることを特徴とする請求項１または請求項２に記載の棚型衣類乾燥機。
【請求項９】
前記布カバーが物干し器の支柱と接する部分に締め具を設けており、末端部に沿って伸縮性ロープを有することを特徴とする請求項１または請求項２に記載の棚型衣類乾燥機。
【発明の詳細な説明】
【技術分野】
【０００１】
本発明は衣類乾燥機、特に棚型衣類乾燥機に関する。
【背景技術】
【０００２】
昨今、天気や地理的影響により、しだいに多くの人がランドリー、乾燥機一体型洗濯機または単独のドラム式乾燥機を使用する必要性に迫られている。こうした製品は家電市場のいたる所で見られる。これら定番製品の設計や安全性は、国家の技術標準に適合しているが、ドラム式乾燥機は回転動作中に衣類にしわや損傷を起こしやすいため、さらにアイロンをかけなければならないという欠点がある。
そのほか、当該製品の構造は複雑で、高価であり、多数の一般給与所得者にとって購入可能な価格との差は非常に大きい。そのため、給与所得者の生活資金の範囲内に収まる程度に廉価で、かつ安全面の各指標が国家の技術標準に適合した衣類乾燥機を提供することが必要である。
特許文献１では低コストで、アイロンがけが不要な２層式カバーの棚型衣類乾燥機を開示している。しかし、以下のような欠点がある。上記衣類乾燥機では、乾燥過程で衣類から発散し、上昇してゆく高温の水蒸気を、機器底部の一つの穴から排出するが、このような排気原理は合理的とは言えない。また、乾燥効果が悪く、乾燥速度が比較的遅いため電力を費やす。乾燥中、温度および湿度の昇降を制御する装置がない。大きな衣類が乾燥後に落下した場合、吹き出し口をふさいでしまい、衣類の損傷や安全面での重大な問題が起こる。
【先行技術文献】
【特許文献】
【０００３】
【特許文献１】中国特許公開番号０３２６７６５６．５号
【発明の概要】
【発明が解決しようとする課題】
【０００４】
本発明は、従来の衣類乾燥機の乾燥効果不良、乾燥速度の遅さ、乾燥機内の温度と湿度のリアルタイム制御不能、ならびにかかる安全上の問題を解決する棚型衣類乾燥機を提供することを目的とする。
【課題を解決するための手段】
【０００５】
本発明の目的は、以下の技術により実現する。
【０００６】
本棚型衣類乾燥機は台座、フレーム、布カバー、ならびにコントロールユニットからなり、棚型衣類乾燥機の内部は熱風と気圧を生成する熱源装置、高温熱風と冷気が混ざり合う熱風の緩和スペース、ならびに衣類を掛けて乾燥させる衣類乾燥スペースで構成される。
【０００７】
熱源装置は風力タービンおよびＰＴＣ発熱体からなり、熱源装置および風洞は台座内に設置されている。台座上部に位置するフレームは、台座に物干し器の支柱を差し込むことで支持する。また、物干し器の支柱は熱風の緩和スペース仕切り板および頂上部の網板と連結している。熱風の緩和スペース仕切り板の下面と風洞の安全保護板は熱風の緩和スペースを形成し、熱風の緩和スペース仕切り板の上面と頂上部の網板は衣類乾燥スペースを形成している。衣類乾燥スペースの頂上部には物干し棒を備えている。防通気性および耐高温性の布で作られた布カバーはフレームの外側にかぶせ、その頂上部には排気口を設けている。コントロールユニットは、コントロールパネルおよびコントロールパネルスイッチ、さらにホストコントローラ、ホストコントローラと電気的に接続した湿度検出器および温度検出器を含む。温度検出器を衣類乾燥スペース内の熱風の緩和スペース仕切り板上、熱風の緩和スペース内、または風洞の安全保護板上に設け、湿度検出器を熱風の緩和スペース内または衣類乾燥スペース内に設けている。
【０００８】
ＰＴＣの吹出し口から送られる熱風を浄化するため、ＰＴＣの吹出し口の側面に紫外線殺菌灯を設けている。さらに、この紫外線殺菌灯が放射する紫外線が周囲の人に有害とならないよう、紫外線殺菌灯の上部に紫外線不透過材を用いた笠を設けている。
【０００９】
締め具のついた物干し器の支柱を、台座の四隅に差し込んで支持する。物干し器の支柱はジョイントを介して下部から上部まで、それぞれ穴の開いた熱風の緩和スペース仕切り板および頂上部の網板と連結している。そのうち、熱風の緩和スペース仕切り板の下面と台座上にある風洞の安全保護板は熱風の緩和スペースを形成するが、風洞から排出される熱風がここで充分に温度を下げるよう、両者の距離は少なくとも６０ｃｍ以上である。熱風の緩和スペース仕切り板の上面と頂上部の網板は衣類乾燥スペースを形成する。
【発明の効果】
【００１０】
本発明における棚型衣類乾燥機の効果は以下のとおりである。温風が上方に移動する自然法則を科学的に利用し、高温気体が底部の台座から上部に移動するという新しい物理的構造を示している。それにより、従来技術に存在する問題を解決し、安全で、衣類の乾燥過程が制御可能であり、衣類の乾燥速度が比較的速い衣類乾燥機を提供する。布カバーの末端部分は台座上部の外側に沿って密閉できるため、熱源の浪費を防止し、省エネルギー効果がある。さらに、布カバーの頂上部に排気口を多く設けることで、上昇してきた頂上部の水蒸気を排出することができ、衣類乾燥の質を高めている。温度検出器および湿度検出器は、衣類乾燥スペースと熱風の緩和スペースの温度および湿度をリアルタイム測定し、熱源装置を制御できるように、ホストコントローラにフィードバックする。それにより、温度および湿度に異常が見られた場合の自動調節と衣類乾燥後の電源オフが可能となり、省エネルギーの目的を果たしている。衣類乾燥の高効率、高速化および衣類落下時の安全を保障している。
【図面の簡単な説明】
【００１１】
以下、図面および発明の実施例に基づきさらに詳しく説明する。
【図１】図１は内部構造の説明図である。
【図２】図２は台座の構造説明図である。
【図３】図３は外観説明図である。
【図４】図４は図３のＡ−Ａ断面図である。
【図５】図５は布カバーの俯瞰図である。
【図６】図６はコントロールユニットの原理ブロック図である。
【発明を実施するための形態】
【実施例】
【００１２】
図１から図５に示すように、本棚型衣類乾燥機は底部にローラー１７を備えた台座１、フレーム、布カバー３０、およびコントロールユニットからなる。台座１の外側に沿って布カバー３０の末端部分を固定する留め具２、上部には湿度検出器１４、オゾン殺菌装置２３、および周辺部に沿って水の外漏れ防止壁１９を設け、台座１の正面にはコントロールパネルスイッチ３６、コントロールパネル１５、およびリモコン入れ１６を設けている。台座１内部の一側面にはホストコントローラ３８および風力タービン２１からなる熱源装置を設置し、もう一側面は排水口２８を有する風洞２４であり、両者の間に仕切り板２０、風洞２４の上部には風洞の安全保護板４を設けている。熱風の吹き出し方向は風洞２４の底辺部であり、弓形の傾斜３７に設計されている。熱風が弓形の傾斜３７に当たることで、熱風をスムーズに熱風の緩和スペース５へ送ることができる。熱源装置の下部には、吸気口の防塵用ネット４０を備えた吸気口を設けている。ＰＴＣの吹き出し口２５にＰＴＣの吹き出し口網板２７を設け、風洞２４に連結しており、その連結部にＰＴＣ発熱体１０を設置している。風洞２４がＰＴＣ発熱体１０と連結する部分の断面積は、ＰＴＣの吹き出し口２５の断面積の１．１倍より大きく、ＰＴＣ発熱体１０が吹き出す方向の風洞の幅は、ＰＴＣが吹き出す距離の１．２倍より大きい。
【００１３】
ＰＴＣの吹き出し口２５から送られる熱風を浄化するため、ＰＴＣの吹き出し口２５の側面に紫外線殺菌灯２６を設けている。さらに、この紫外線殺菌灯２６が放射する紫外線が周囲の人に有害とならないよう、紫外線殺菌灯２６の上部に紫外線不透過材を用いた笠を設けている。
【００１４】
締め具２９のついた物干し器の支柱３を、台座１の四隅に差し込んで支持する。物干し器の支柱３はジョイント６を介して下部から上部まで、それぞれ穴の開いた熱風の緩和スペース仕切り板７および頂上部の網板１１と連結している。そのうち、熱風の緩和スペース仕切り板７の下面と台座１上にある風洞の安全保護板４は熱風の緩和スペース５を形成するが、風洞２４から排出される熱風がここで充分に温度を下げるよう、両者の距離は少なくとも６０ｃｍ以上である。熱風の緩和スペース仕切り板の上面と頂上部の網板１１は衣類乾燥スペース１３を形成する。衣類乾燥スペース１３の頂上部は物干し棒のジョイント９を介して頂上部の網板１１の物干し棒８と連結している。また、フレームの傾きを防止するため、フレーム後部に物干し器の支柱３、および中心部分を支点１８によって固定したＸ型防傾連結棒１２のジョイントを設けている。あるいはワイヤによって傾きを防止する。湿度検出器１４を、熱風の緩和スペース５内または衣類乾燥スペース１３内に設けてもよい。
【００１５】
布カバー３０には防通気性および耐高温性の布を使用しており、フレーム全体を密閉できるようにフレームの外側にかぶせる。正面には収納袋３２およびファスナー装置３１を設けている。頂上部には直径５ｍｍから２０ｍｍの排気口３３を設け、排気口３３の縁は環状の金属リベット３４を打ち込んでいる。末端部分で留め具２と布カバー３０下辺部の伸縮性ロープを固定し、布カバー３０の下部を固定する。さらに、布カバー３０は物干し器の支柱３の締め具２９と固定する。コントロールユニットは、コントロールパネル１５、ホストコントローラ３８、ホストコントローラ３８と電気的に接続した湿度検出器１４、温度検出器２２、およびコントロールパネルスイッチ３６で構成される。温度検出器２２を衣類乾燥スペース１３内の熱風の緩和スペース仕切り板７上、熱風の緩和スペース５内、または風洞の安全保護板４上に設けてもよい。
【００１６】
図６に示すように、電源に接続し、コントロールパネルスイッチ３６およびコントロールパネル１５をつけると、コントロールユニット内でホストコントローラ３８が風力タービン２１、ＰＴＣ発熱体１０、紫外線殺菌灯２６、およびオゾン殺菌装置２３に動作開始の信号を送る。同時に、温度検出器２２および湿度検出器１４が、熱風の緩和スペース５と衣類乾燥スペース１３の温度および湿度を測定し、得られた信号をホストコントローラ３８にフィードバックする。測定温度が上限に達すると、ホストコントローラ３８はＰＴＣ発熱体１０の加熱動作を一時停止させる信号を送り、その結果、熱変化により衣類乾燥スペース１３の温度が低下する。下限温度まで低下すると、ホストコントローラ３８はＰＴＣ発熱体１０の加熱動作を継続させる信号を送る。熱風の緩和スペース５の湿度が設定値まで低下すると、ホストコントローラ３８はＰＴＣ発熱体１０の加熱動作を停止させる信号を送る。最後に衣類乾燥スペース１３がある設定温度まで低下すると、ホストコントローラ３８は風力タービン２１、紫外線殺菌灯２６、およびオゾン殺菌装置２３に動作停止の信号を送り、さらに衣類乾燥終了の信号を送る。
【００１７】
ファスナー装置３１で布カバー３０を開き、乾燥させる衣類をハンガーで物干し棒８に掛け、ファスナーを閉じる。電源コード３５を電源に接続し、コントロールパネルスイッチ３６およびコントロールパネル１５をつけると、ホストコントローラ３８が風力タービン２１、ＰＴＣ発熱体１０、紫外線殺菌灯２６、およびオゾン殺菌装置２３に動作開始の信号を送る。吸気口の防塵用ネット４０により濾過された清潔な常温空気を吸入し、それを加熱後、風洞２４に送る。この清潔な熱風は紫外線殺菌灯２６により殺菌後、風洞の安全保護板４を通過して熱風の緩和スペース５に達する。ここで、存在する冷気と熱交換が起こり、温度が低下する。オゾン殺菌装置２３によりさらに殺菌後、上昇を続けて、湿った衣類を乾燥させる衣類乾燥スペース１３に送られる。同時に、衣類乾燥スペース１３内の水蒸気が熱風の作用により温度上昇し、密度が小さくなる。さらに風力タービン２１の送風作用と布カバー３０の防通気性により、この水蒸気は急速に上昇して布カバー３０頂上部の排気口３３から排出される。同時に、湿った衣類の水滴は熱風の緩和スペース仕切り板７および風洞の安全保護板４の穴を通り、熱風の上昇とは逆方向に流れ、風洞２４の排水口２８に流入し、衣類乾燥機から排出され、外付け型水受け容器３９にたまる。風洞２４の底はＰＴＣ発熱体１０の底より５ｍｍ以上低いので、湿った衣類の水が風力タービン２１内に流れることはない。この過程で、湿った衣類の水分が徐々に減少し乾燥した清潔な衣類となる。湿った衣類が乾いたり、衣類が落下し熱風の緩和スペース仕切り板７上の穴を塞いだりするために、熱風の緩和スペース５内が上限温度まで達すると、温度検出器２２はこの信号をリアルタイムでホストコントローラ３８にフィードバックする。ホストコントローラ３８は信号を処理したのち、衣類を保護するためにＰＴＣ発熱体１０に動作停止の信号を送り、かつエネルギーを節約する。熱風の緩和スペース５または衣類乾燥スペース１３の湿度が設定値まで低下すると、ホストコントローラ３８はＰＴＣ発熱体１０の加熱動作を停止させる信号を送る。最後に衣類乾燥スペース１３がある設定温度まで低下すると、ホストコントローラ３８は風力タービン２１、紫外線殺菌灯２６、およびオゾン殺菌装置２３に動作停止の信号を送り、さらに衣類乾燥終了の信号を送る。機器を切って電源を抜き、ファスナーを開くとすぐに衣類を取り出すことができる。
【符号の説明】
【００１８】
１  台座
２  留め具
３  物干し器の支柱
４  風洞の安全保護板
５  熱風の緩和スペース
６  ジョイント
７  熱風の緩和スペース仕切り板
８  物干し棒
９  物干し棒のジョイント
１０  ＰＴＣ発熱体
１１  頂上部の網板
１２  Ｘ型防傾連結棒
１３  衣類乾燥スペース
１４  湿度検出器
１５  コントロールパネル
１６  リモコン入れ
１７  ローラー
１８  支点
１９  水の外漏れ防止壁
２０  仕切り板
２１  風力タービン
２２  温度検出器
２３  オゾン殺菌装置
２４  風洞
２５  ＰＴＣの吹き出し口
２６  紫外線殺菌灯
２７  ＰＴＣの吹き出し口網板
２８  排水口
２９  締め具
３０  布カバー
３１  ファスナー装置
３２  収納袋
３３  排気口
３４  環状の金属リベット
３５  電源コード
３６  コントロールパネルスイッチ
３７  弓形の傾斜
３８  ホストコントローラ
３９  外付け型水受け容器
４０  吸気口の防塵用ネット
【図１】
2010507395.tif 000003
2010507395.tif 000004
【図２】
2010507395.tif 000005
【図３】
2010507395.tif 000006
【図４】
2010507395.tif 000007
【図５】
2010507395.tif 000008
【図６】
2010507395.tif 000009
【国際調査報告】
2010507395.tif 000010
2010507395.tif 000011
2010507395.tif 000012
2010507395.tif 000013
2010507395.tif 000014
2010507395.tif 000015